(57)【特許請求の範囲】
【請求項１】
椅子の背もたれ部若しくは座部の少なくともいずれか一方を覆うと共に、所定の開口部を有する枠部材と、
該枠部材の前記開口部を被覆する和紙製のカバー部材とを備え、
前記カバー部材の少なくとも一部は、それぞれが前記枠部材と分離可能に結合された複数の和紙を重畳して構成されている
椅子カバー。
【請求項２】
前記カバー部材は、香料を含浸して構成されている
請求項１に記載の椅子カバー。
【請求項３】
前記枠部材は和紙製である
請求項１または請求項２に記載の椅子カバー。
【請求項４】
前記枠部材は、紙漉により製造された和紙を所定の形状に裁断し、裁断した和紙を組み立てて形成された
請求項１、請求項２または請求項３に記載の椅子カバー。
【請求項５】
前記枠部材は、繊維が入らない所定領域が形成された簀面を用いた紙漉により製造された空洞部を有する形状である和紙を組み立てて形成された
請求項１、請求項２または請求項３に記載の椅子カバー。
【請求項６】
前記枠部材は、前記カバー部材よりも膜厚が大きく高強度である
請求項１、請求項２、請求項３、請求項４または請求項５に記載の椅子カバー。
【発明の詳細な説明】
【技術分野】
【０００１】
本発明は椅子カバーに関する。詳しくは、椅子を被覆する椅子カバーに係るものである。
【背景技術】
【０００２】
椅子の形状や構造に関して、古くから腰にフィットして、座り心地が良く、長時間着席していても疲れない形状の椅子が求められている。そのため、椅子の形状の改良や、椅子に着設するクッション材の改良など、様々な提案がなされている。
【０００３】
一方、椅子の座り心地は、椅子の形状やクッション材のみではなく、椅子の外観にもよるところがあることは経験則として知られており、椅子の外観を良くするための様々なカバーが提案されている。
【０００４】
例えば、特許文献１には、脚部と、この脚部の所定高さ位置に設けられた座と、この座の後部に位置する背もたれとを含む椅子の座または背もたれに着脱可能に設けられたカバーが開示されている。具体的には、座または背もたれの一部を覆う袋状部と、この袋状部の開口位置から二股に分かれて延びる第１及び第２の延長部を備え、各延長部が、それらの外周側が重なり合って座または背もたれの表面をカバーできる大きさに設けられたカバーが開示されている。
【０００５】
また、特許文献２には、使用時に椅子の背当て部と当接する上方クッション部と、使用時に椅子の座部と当接する下方クッション部とが椅子への固定に用いるベルト部で接続されており、上方クッション部と下方クッション部とがベルト部を介して対向する位置に配置されると共に、上方クッション部の上端部及び下方クッション部の下端部に錘体が収納された椅子カバーが開示されている。
【０００６】
ここで、椅子の座り心地が外観によって変化することは上述の通りであるが、外観によって使い心地が変化するものとしては、携帯端末機（携帯電話機、携帯型パソコン、スマートフォン等）も挙げられる。
【０００７】
そのため、例えば、特許文献３では、携帯電話機に貼り付けて使用する装飾用シールが提案されており、こうした装飾用シールによって携帯電話機に高い装飾性を付与している。
【先行技術文献】
【特許文献】
【０００８】
【特許文献１】特開２００２−１３６４００号公報
【特許文献２】特開２００４−３５７８１７号公報
【特許文献３】特開２００７−２２０５０号公報
【発明の概要】
【発明が解決しようとする課題】
【０００９】
しかしながら、従来の椅子カバー及び携帯端末カバーは、洋風の製品が大半であり、和室や和装に合うものが非常に少ないのが現状であった。
【００１０】
なお、和風の椅子カバーや携帯端末カバーが皆無ということではないが、単に和風のデザインを施すのみであったり、芸術品や美術品等の様に実用に耐え得る強度や機能を有していなかったりするのが現状であった。
【００１１】
本発明は以上の点に鑑みて創案されたものであって、実使用に耐え得ると共に、和室や和装にも適する和風の椅子カバーを提供することを目的とする。
【課題を解決するための手段】
【００１２】
上記の目的を達成するために、本発明の椅子カバーでは、椅子の背もたれ部若しくは座部の少なくともいずれか一方を覆うと共に、所定の開口部を有する枠部材と、該枠部材の前記開口部を被覆する和紙製のカバー部材とを備える。
【００１３】
ここで、枠部材が所定の開口部を有していることによって、背もたれ部や座部とカバー部材との間に一定の空隙を形成することができる。そして、そのことによって、高い通気性を実現し、椅子を長時間利用したとしてもムレを抑止して、背もたれ部や座部を清潔に保つことができる。
【００１４】
また、カバー部材が和紙製であることによって、和風にあう外観を実現することができる。例えば、和室に適する外観を実現することができる。更に、和紙は通気性に優れているために、上述した枠部材が所定の開口部を有していることと相まって、より一層充分に背もたれ部や座部を清潔に保つことが可能となる。
【００１５】
更に、カバー部材の少なくとも一部が、それぞれが枠部材と分離可能に結合された複数の和紙を重畳して構成された場合には、背もたれ部や座部が汚れたとしても、カバー部材（全体）を交換することなく、最上層の和紙のみを枠部材から分離することで、カバー部材が被覆する領域を清潔な状態とすることができる。
【００１６】
なお、枠部材を和紙で製造した場合には、更に通気性を向上せしめることができ、更に一層充分に背もたれ部や座部を清潔に保つことが可能となる。
【００１７】
また、カバー部材を構成する和紙に香料が含浸された場合には、視覚（外観）のみならず、嗅覚によっても使い心地を向上せしめることが可能となる。
【００１８】
また、枠部材の製造方法としては、紙漉により製造された和紙を所定の形状に裁断し、裁断した和紙を組み立てたり、繊維が入らない所定領域が形成された簀面を用いた紙漉により製造された空洞部を有する形状である和紙を組み立てたりする方法が挙げられる。
なお、後者の製造方法の場合には、裁断で和紙に空洞部分を設ける手間を省くことができ、製造歩留まりの向上が実現する。
【００１９】
ここで、（１）紙漉により製造した複数枚の和紙を重ね合わせた状態で接着し、接着した和紙を所定の形状に裁断したり、（２）繊維が入らない所定領域が形成された簀面を用いて紙漉を行う場合にあっては、所定厚さ以上の和紙を製造したりすることによって、型崩れしない程度の強度を有する枠部材を得ることが可能となる。
【００２０】
また、上記の目的を達成するために、本発明の携帯端末カバーでは、携帯端末と略同一形状に構成され、更に、同携帯端末に着脱自在に構成されると共に、所定の開口部を有する枠部材と、該枠部材の前記開口部を被覆する和紙製のカバー部材とを備える。
【００２１】
ここで、枠部材が所定の開口部を有していることによって、携帯端末とカバー部材との間に一定の空隙を形成することができる。そして、そのことによって、高い通気性を実現し、携帯端末を長時間利用したとしても利用者の把持領域のムレを抑止して、清潔さを保つことができる。
【００２２】
また、カバー部材が和紙製であることによって、和風にあう外観を実現することができる。例えば、和装に適する外観を実現することができる。更に、和紙は通気性に優れているために、上述した枠部材が所定の開口部を有していることと相まって、より一層充分に清潔さを保つことができる。
【００２３】
更に、カバー部材の少なくとも一部が、それぞれが枠部材と分離可能に結合された複数の和紙を重畳して構成された場合には、カバー部材が汚れたとしても、カバー部材（全体）を交換することなく、最上層の和紙のみを枠部材から分離することで、カバー部材が被覆する領域を清潔な状態とすることができる。
【００２４】
なお、枠部材を和紙で製造した場合には、更に通気性を向上せしめることができ、更に一層充分に清潔さを保つことができる。
【００２５】
また、枠部材の製造方法としては、紙漉により製造された和紙を所定の形状に裁断し、裁断した和紙を組み立てたり、繊維が入らない所定領域が形成された簀面を用いた紙漉により製造された空洞部を有する形状である和紙を組み立てたりする方法が挙げられる。
なお、後者の製造方法の場合には、裁断で和紙に空洞部分を設ける手間を省くことができ、製造歩留まりの向上が実現する。
【００２６】
ここで、（１）紙漉により製造した複数枚の和紙を重ね合わせた状態で接着し、接着した和紙を所定の形状に裁断したり、（２）繊維が入らない所定領域が形成された簀面を用いて紙漉を行う場合にあっては、所定厚さ以上の和紙を製造したりすることによって、型崩れしない程度の強度を有する枠部材を得ることが可能となる。
【００２７】
また、本発明の携帯端末カバーでは、携帯端末と略同一形状に構成され、更に、同携帯端末に着脱自在に構成されると共に、所定の開口部を有する枠部材と、該枠部材の前記開口部を被覆する布製若しくは不織布製のカバー部材とを備える。
【００２８】
ここで、枠部材が所定の開口部を有していることによって、携帯端末とカバー部材との間に一定の空隙を形成することができる。そして、そのことによって、高い通気性を実現し、携帯端末を長時間利用したとしても利用者の把持領域のムレを抑止して、清潔さを保つことができる。
【００２９】
また、カバー部材が布製若しくは不織布製であることによって、和風にあう外観を実現することができる。例えば、和装に適する外観を実現することができる。
【発明の効果】
【００３０】
本発明の椅子カバーでは、実使用に耐え得ると共に、和室に適する等和風に合う外観を実現することができる。
【図面の簡単な説明】
【００３１】
【図１】本発明を適用した椅子カバーの一例を説明するための模式図である。
【図２】第１の実施の形態の変形例を説明するための模式図である。
【図３】本発明を適用した椅子カバーの他の例を説明するための模式図である。
【図４】本発明を適用した携帯端末カバーの一例を説明するための模式図である。
【図５】第３の実施の形態の変形例を説明するための模式図である。
【図６】本発明を適用した携帯電話機カバーの他の例を説明するための模式図である。
【図７】本発明を適用した椅子カバーの製造方法を説明するための模式図（１）である。
【図８】本発明を適用した椅子カバーの製造方法を説明するための模式図（２）である。
【図９】本発明を適用した椅子カバーの製造方法を説明するための模式図（３）である。
【図１０】本発明を適用した椅子カバーの製造方法を説明するための模式図（４）である。
【図１１】本発明を適用した椅子カバーの製造方法を説明するための模式図（５）である。
【発明を実施するための形態】
【００３２】
以下、本発明の実施の形態を図面を参酌しながら説明し、本発明の理解に供する。
【００３３】
＜第１の実施の形態＞
図１は本発明を適用した椅子カバーの一例を説明するための模式図であり、ここで示す椅子カバー１は、和紙製の枠部材２と和紙製のカバー部材３とから構成されており、枠部材２及びカバー部材３の双方に香料が含浸されている。
【００３４】
なお、図１（ａ）は椅子本体４のみを図示しており、図１（ｂ）は椅子本体４に枠部材２を取り付けた状態を示しており、図１（ｃ）は枠部材２をカバー部材３で被覆した状態を示している。
【００３５】
枠部材２は、椅子本体４の背もたれ部４ａを覆う第１の枠部材２ａと、椅子本体４の座部４ｂを覆う第２の枠部材２ｂとから構成されている。
【００３６】
また、第１の枠部材２ａは背もたれ部４ａの全面を覆うのではなく、所定の開口部６を有して構成されている。同様に、第２の枠部材２ｂは座部４ｂの全面を覆うのではなく、所定の開口部６を有して構成されている。
【００３７】
ここで、本実施の形態では、第１の枠部材２ａが和紙で形成されている場合を例に挙げて説明を行っているが、第１の枠部材２ａは背もたれ部４ａに固着することができれば充分であり、必ずしも和紙で形成される必要はない。但し、第１の枠部材２ａが和紙で形成されることによって、より一層高い通気性を実現し、より一層充分に清潔さを担保することができるために、カバー部材３のみならず第１の枠部材２ａをも和紙で形成される方が好ましい。
【００３８】
同様に、本実施の形態では、第２の枠部材２ｂが和紙で形成されている場合を例に挙げて説明を行っているが、第２の枠部材２ｂは座部４ｂに固着することができれば充分であり、必ずしも和紙で形成される必要はない。但し、第２の枠部材２ｂが和紙で形成されることによって、より一層高い通気性を実現し、より一層充分に清潔さを担保することができるために、カバー部材３のみならず第２の枠部材２ｂをも和紙で形成される方が好ましい。
【００３９】
また、枠部材２に設けられた所定の開口部６を被覆する様に、カバー部材３が枠部材２に貼り合わせてある。なお、本実施の形態では、１枚の和紙で枠部材２の全体を被覆する様な場合を例に挙げて説明を行っているが、枠部材２の開口部６を被覆することができれば充分であり、開口部６毎に和紙を貼り付けても良い。
【００４０】
なお、枠部材２を構成する部材は、複数枚の和紙を重ねて強度を大きく（膜厚を大きく）しており、カバー部材３が一重の和紙から構成されていることを考慮すると、枠部材２の強度（膜厚）はカバー部材３の強度（膜厚）よりも大きいこととなる。このことによって、枠部材２は椅子本体４への強固な固着が実現できることとなる。
【００４１】
本発明を適用した椅子カバー１では、表面に和紙製のカバー部材３が貼り合わせてあるために、和室に適する外観を実現することが可能であり、和室での使い心地を向上することができる。
【００４２】
また、枠部材２に開口部６が形成されており、こうした開口部６が形成されることで、椅子本体４の背もたれ部４ａや座部４ｂとカバー部材３との間に空隙が形成されることとなる。そして、こうした空隙が形成されることによって、通気性が向上し、清潔さが向上することとなる。更に、カバー部材３が和紙性で通気性が高いことも、清潔さを向上する理由となる。
【００４３】
ここで、上記した第１の実施の形態では、椅子本体４の背もたれ部４ａ及び座部４ｂの双方にカバーが設けられた場合を例に挙げて説明を行っている。しかしながら、必ずしも椅子本体４の背もたれ部４ａ及び座部４ｂの双方にカバーが設けられる必要はなく、図２（ａ）で示す様に、椅子本体４の背もたれ部４ａのみにカバーが設けられても良いし、図２（ｂ）で示す様に、椅子本体４の座部４ｂのみにカバーが設けられても良い。
【００４４】
＜第２の実施の形態＞
図３は本発明を適用した椅子カバーの他の例を説明するための模式図であり、ここで示す椅子カバー１は、第１の実施の形態と同様に、和紙製の枠部材２と和紙製のカバー部材３とから構成されており、枠部材２及びカバー部材３の双方に香料が含浸されている。
【００４５】
枠部材２は、椅子本体４の背もたれ部４ａを覆う第１の枠部材２ａと、椅子本体４の座部４ｂを覆う第２の枠部材２ｂとから構成されている点も、第１の実施の形態と同様である。
【００４６】
また、第１の枠部材２ａや第２の枠部材２ｂが背もたれ部４ａや座部４ｂの全面を覆うのではなく、所定の開口部６を有して構成されている点についても、第１の実施の形態と同様である。
【００４７】
更に、枠部材２に設けられた所定の開口部６を被覆する様に、カバー部材３が枠部材２に貼り合わせてある。
【００４８】
ここで、本実施の形態では、カバー部材３は、それぞれが独立している複数枚の和紙を重畳して構成されており、それぞれの和紙は枠部材２と分離可能に結合されている。具体的には、枠部材２とそれぞれの和紙との境界にはミシン目が設けられており、ミシン目によって分離可能に結合されている。
【００４９】
本発明を適用した椅子カバー１では、表面に和紙製のカバー部材３が貼り合わせてあるために、和室に適する外観を実現することが可能であり、和室での使い心地を向上することができる。
【００５０】
また、図３で示す様に、必要に応じてカバー部材３の最上層の和紙８を分離することができるため、カバー部材３の一部のみが汚れた場合には、該当する領域のカバー部材３の最上層の和紙８のみを分離するといった対応が可能となる。
【００５１】
更に、枠部材２に開口部６が形成されており、こうした開口部６が形成されることで、椅子本体４の背もたれ部４ａや座部４ｂとカバー部材３との間に空隙が形成されることとなる。そして、こうした空隙が形成されることによって、通気性が向上し、清潔さが向上することとなる。なお、カバー部材３が和紙製で通気性が高いことも、清潔さを向上する理由となる。
【００５２】
［変形例］
上記した第１の実施の形態及び第２の実施の形態では、４つの脚部が設けられた椅子本体４を例に挙げて説明を行っている。しかしながら、椅子本体４は、必ずしも図示した様なものに限られる必要は無く、いかなる形態であっても良い。例えば、自動車に採用されている様な椅子（シート）や、飛行機に採用されている様な椅子（シート）であっても良い。
【００５３】
＜第３の実施の形態＞
図４は本発明を適用した携帯端末カバーの一例である携帯電話機カバーを説明するための模式図であり、ここで示す携帯電話機カバー１１は、和紙製の枠部材１２と和紙製のカバー部材１３とから構成されており、枠部材１２及びカバー部材１３の双方に香料が含浸されている。
【００５４】
なお、図４（ａ）は携帯電話機本体１４のみを図示しており、図４（ｂ）は携帯電話機本体に枠部材１２を取り付けた状態を示しており、図４（ｃ）は枠部材１２をカバー部材１３で被覆した状態を示している。
【００５５】
枠部材１２は、携帯電話機本体１４の全面を覆うのではなく、所定の開口部１６を有して構成されている。
【００５６】
また、枠部材１２に設けられた所定の開口部１６を被覆する様に、カバー部材１３が枠部材１２に貼り合わせてある。なお、携帯電話機本体１４のディスプレイ部分については、カバー部材１３を貼り合わせない様にしている。また、携帯電話機本体１４のボタン部分については、カバー部材１３を貼り合わせたとしてもボタンの位置が分かる様に、カバー部材１３にボタンの図が記載されている。
【００５７】
ここで、本実施の形態では、１枚の和紙で枠部材１２の全体を被覆する様な場合を例に挙げて説明を行っているが、枠部材１２の開口部１６を被覆することができれば充分であり、開口部１６毎に和紙を貼り付けても良い。
【００５８】
なお、枠部材１２を構成する部材は、複数枚の和紙を重ねて強度を大きく（膜厚を大きく）しており、カバー部材１３が一重の和紙から構成されていることを考慮すると、枠部材１２の強度（膜厚）はカバー部材１３の強度（膜厚）よりも大きいこととなる。このことによって、枠部材１２は携帯電話機本体１４への強固な固着が実現できることとなる。
【００５９】
本発明を適用した携帯電話機カバー１１では、表面に和紙製のカバー部材１３が貼り合わせてあるために、和装に適する外観を実現することが可能であり、和装での使い心地を向上することができる。
【００６０】
また、枠部材１２に開口部１６が形成されており、こうした開口部１６が形成されることで、携帯電話機本体１４とカバー部材１３との間に空隙が形成されることとなる。そして、こうした空隙が形成されることによって、通気性が向上し、清潔さが向上することとなる。更に、カバー部材１３が和紙製で通気性が高いことも、清潔さを向上する理由となる。
【００６１】
ここで、上記した第３の実施の形態では、携帯電話機本体１４のディスプレイ部分以外の領域がカバー部材１３で被覆された場合を例に挙げて説明を行っている。しかしながら、必ずしもディスプレイ部分以外の領域を被覆する必要はなく、例えば、ボタン部分についても被覆しない様にしても良い（図５（ａ）参照）。また、例えば、スマートフォンの様に、ディスプレイに直接タッチすることで操作を行う方式を採用している携帯端末機に本発明を適用することもできる（図５（ｂ）参照）。
【００６２】
＜第４の実施の形態＞
図６は本発明を適用した携帯電話機カバーの他の例を説明するための模式図であり、ここで示す携帯電話機カバー１１は、第３の実施の形態と同様に、和紙製の枠部材１２と和紙製のカバー部材１３とから構成されており、枠部材１２及びカバー部材１３の双方に香料が含浸されている。
【００６３】
枠部材１２は、携帯電話機本体１４の全面を覆うのではなく、所定の開口部１６を有して構成されている点についても、第３の実施の形態と同様である。
【００６４】
更に、枠部材１２に設けられた所定の開口部１６を被覆する様に、カバー部材１３が枠部材１２に貼り合わせてある。
【００６５】
ここで、本実施の形態では、カバー部材１３は、それぞれが独立している複数枚の和紙を重畳して構成されており、それぞれの和紙は枠部材１２と分離可能に結合されている。具体的には、枠部材１２とそれぞれの和紙との境界にはミシン目が設けられており、ミシン目によって分離可能に結合されている。
【００６６】
本発明を適用した携帯電話機カバー１１では、表面に和紙製のカバー部材１３が貼り合わせてあるために、和装に適する外観を実現することが可能であり、和装での使い心地を向上することができる。
【００６７】
また、図６で示す様に、必要に応じてカバー部材１３の最上層の和紙１８を分離することができるために、カバー部材１３の一部のみが汚れた場合には、該当する領域のカバー部材１３の最上層の和紙１８のみを分離するといった対応が可能となる。
【００６８】
更に、枠部材１２に開口部１６が形成されており、こうした開口部１６が形成されることで、携帯電話機本体１４とカバー部材１３との間に空隙が形成されることとなる。そして、こうした空隙が形成されることによって、通気性が向上し、清潔さが向上することとなる。なお、カバー部材１３が和紙製で通気性が高いことも、清潔さを向上する理由となる。
【００６９】
［変形例］
上記した第３の実施の形態及び第４の実施の形態では、枠部材１２やカバー部材１３が和紙で形成された場合を例に挙げて説明を行っている。しかしながら、和装に適する外観を実現することができれば充分であり、枠部材１２やカバー部材１３は、布製や不織布製であっても構わない。なお、カバー部材１３を布や不織布で形成した場合に、枠部材１２についても布や不織布で形成しても良いし、それ以外の材料で形成しても良い。
【００７０】
＜製造方法＞
以下、本発明を適用した椅子カバー１の製造方法について説明を行う。なお、本発明を適用した携帯電話機カバー１１の製造方法についても同様である。
【００７１】
［製造方法１］
本発明を適用した椅子カバー１を製造する場合には、先ず、図７（イ）に示す様に、紙漉によって得られる所定の大きさの和紙２１に裁断線２３を記入する。具体的には、開口部２２を設けるべき領域に四角形状の裁断線２３を記入する。
【００７２】
次に、この裁断線に沿ってハサミ等で和紙２１を裁断し、開口部２２が開口された枠部材２４を形成する（図７（イ）参照）。
【００７３】
なお、椅子カバーの種類に応じて、より具体的には、椅子カバーに求められる強度に応じて、複数枚の和紙２１を貼り合わせた後に裁断して、所定の厚さ（即ち、所定の強度）を有する枠部材２４を形成しても良い。
【００７４】
続いて、図８（イ）で示す様に、枠部材２４の開口部２２を覆う様に、紙漉で得られた和紙製のカバー部材２５を貼り合わせることで、椅子カバー１を得ることができる。
【００７５】
なお、カバー部材２５を貼り合わせる際に使用する糊として、米を主体としたものを使用することで、和紙同士（和紙製の枠部材２４と和紙製のカバー部材２５）を自然な状態で接着することが可能となる。例えば、米をおかゆ風に炊き込み、この炊きあげた米に和紙を粉にした物を加えてスリコギ等で米粒をつぶしながら混ぜ合わせて糊状としたものを使用することが考えられる。
【００７６】
ここで、本製造方法では、枠部材２４に単一の開口部２２が形成された場合を例に挙げて説明を行っているが、枠部材２４に形成する開口部２２は複数であっても良い。
【００７７】
例えば、図７（ロ）で示す様に、紙漉で得られる所定の大きさの和紙２１に開口部２２を設けるべき４箇所の領域に裁断線２３を記入した上で、裁断線２３に沿ってハサミ等で和紙２１を裁断し、複数の開口部２２が開口された枠部材２４としても良い。なお、こうした枠部材２４の開口部２２を覆う様に、紙漉で得られた和紙製のカバー部材２５を貼り合わせることで、図８（ロ）で示す様な椅子カバー１を得ることができる。
【００７８】
また、本製造方法では、カバー部材２５を枠部材２４の全面に貼り合わせる場合を例に挙げて説明を行っているが、必ずしもカバー部材２５を枠部材２４の全面に貼り合わせる必要は無い。
【００７９】
例えば、図９で示す様に、紙漉で得られる所定の大きさの和紙２１の一部分に開口部２２が開口された枠部材２４の場合には、この開口部２２を覆う様に、開口部２２の領域のみに、紙漉で得られた和紙製のカバー部材２５を貼り合わせても良い。
【００８０】
なお、紙漉により和紙を作成する段階の液状の和紙原料である繊維や竹材の繊維等に、木材の切り粉やワラ材を小さくきざんで混ぜ合わせることもできる。
【００８１】
［製造方法２］
本発明を適用した椅子カバー１の他の製造方法では、先ず、図１０（イ）で示す様な簀面２８を用いた紙漉を行う。
【００８２】
ここで、紙漉の段階で開口部２２となる領域に空洞を形成すべく、簀面２８上に繊維が入らない所定区域２９を設けている。具体的には、所定区域２９に囲い棒（図示せず）を設けたり、プラスチック製の囲い箱（図示せず）を設けたりすることで、簀面２８上に繊維が入った液が浸入できない様にしている。また、粘土を所定形状に形成し、これをピロ包装紙で包み込んで簀面２８上に配置することによっても、繊維が入らない所定区域２９を形成することができる。
【００８３】
なお、図１０（イ）に示す様な簀面２８を用いた紙漉を行うことで、図７（イ）で示す様な、所定の大きさの和紙２１に開口部２２が設けられた枠部材２４を得ることができる。
【００８４】
ここで、椅子カバーの種類に応じて、より具体的には、椅子カバーに求められる強度に応じて、紙漉の段階で所定の厚さ（即ち、所定の強度）を有する和紙を製造し、求められる強度（例えば、枠部材２４として型崩れしない程度の強度）を有する様にしても良い。また、強度を担保するために、厚紙等からなる芯材に和紙を貼り付けて枠部材２４を形成しても良い。
【００８５】
次に、枠部材２４の開口部２２を覆う様に、紙漉で得られた和紙製のカバー部材２５を貼り合わせることで、椅子カバー１を得ることができる（図８（イ）参照）。
【００８６】
なお、カバー部材２５を貼り合わせる際に、米を主体とした糊を使用することで、和紙同士を自然な状態で接着することが可能な点については、上記した製造方法１と同様である。
【００８７】
また、枠部材２４に形成する開口部２２が複数であっても良い点についても、上記した製造方法１と同様であり、この場合には、図１０（ロ）に示す様な簀面２８を用いた紙漉を行うことで、図７（ロ）で示す様な、所定の大きさの和紙２１に複数の開口部２２が設けられた枠部材２４を形成することとなる。
【００８８】
［製造方法３］
上記した製造方法１及び製造方法２では、平板状（平面状）の椅子カバーを例に挙げて説明を行っている。しかし、椅子カバーは必ずしも平板状（平面状）である必要はなく、曲板状（曲面状）に構成されていても良い。
【００８９】
ここで、曲板状（曲面状）の椅子カバーは、紙漉で平板状（平面状）の和紙を得た後に、平板状（平面状）の和紙を立体的に貼り合わせて曲板状（曲面状）の枠部材２４を形成し、更には、曲板状（曲面状）の枠部材２４の開口部２２にカバー部材２５を貼り合わせることで製造することができる。なお、この場合に、カバー部材２５は平板状（平面状）であったとしても、和紙の柔軟性を利用することで、曲板状（曲面状）の枠部材２４に貼り合わせることが可能である。
【００９０】
また、曲板状（曲面状）の椅子カバーは、紙漉で曲板状（曲面状）の和紙を得た後に、曲板状（曲面状）の和紙を貼り合わせて曲板状（曲面状）の枠部材２４を形成し、更には、曲板状（曲面状）の枠部材２４の開口部２２にカバー部材２５を貼り合わせることで製造することもできる。
【００９１】
なお、紙漉で曲板状（曲面状）の和紙を得る場合には、曲板状（曲面状）の簀面を使用することが考えられる。具体的には、図１１（ａ）で示す様に、曲板状（曲面状）の簀面３０を使用することが考えられる。
【００９２】
この場合に、簀面の持ち手部分の長さや角度を左右で異ならせることで、紙漉の作業効率が向上し、紙漉による曲板状（曲面状）の和紙の形成がより容易化できる。具体的には、図１１（ａ）で示す様に、一端が簀面３０に取り付けられると共に他端が把持部３２に取り付けられた連結部材３１が伸縮自在に構成されることによって、簀面３０の把持部３２の長さや角度を左右で異ならせることができ、上述の通り、紙漉の作業効率が向上し、図１１（ｂ）で示す様な、紙漉による曲板状（曲面状）の和紙３３の形成がより容易化できることとなる。
【符号の説明】
【００９３】
１    椅子カバー
２    枠部材
２ａ  第１の枠部材
２ｂ  第２の枠部材
３    カバー部材
４    椅子本体
４ａ  背もたれ部
４ｂ  座部
６    開口部
８    和紙
１１  携帯電話機カバー
１２  枠部材
１３  カバー部材
１４  携帯電話機本体
１６  開口部
１８  和紙
２１  和紙
２２  開口部
２３  裁断線
２４  枠部材
２５  カバー部材
２８  簀面
２９  所定区域
３０  簀面
３１  連結部材
３２  把持部
３３  和紙
【要約】      （修正有）【課題】実用性に耐え得ると共に、通気性にすぐれ、背凭れ部や座部を清潔に保つことが可能な、和室に適する和風の椅子カバーを提供する。【解決手段】紙漉により製造された和紙を所定の形状に裁断し、裁断した和紙を組み立てて所定の開口部６を有する和紙製の枠部材２を形成し、更に、枠部材２の所定の開口部６を被覆する様に和紙製のカバー部材３を貼り合わせる。【選択図】図１【図１】
0004791605.tif 000002
【図２】
0004791605.tif 000003
【図３】
0004791605.tif 000004
【図４】
0004791605.tif 000005
【図５】
0004791605.tif 000006
【図６】
0004791605.tif 000007
【図７】
0004791605.tif 000008
【図８】
0004791605.tif 000009
【図９】
0004791605.tif 000010
【図１０】
0004791605.tif 000011
【図１１】
0004791605.tif 000012